(57)【要約】【課題】災害が発生した時点における映像を確実に撮影するとともに、異常状態の誤った検出により撮影をしてしまう事態を軽減する。【解決手段】被写体を撮像し映像データを入力する撮像手段を有する撮像装置１０１と、サーバー１０４とがネットワークを介して接続するネットワーク撮像システムにおいて、撮像装置１０１は、通信局１０２から放送波１０３を受信し、受信した放送波１０３に緊急警報信号が含まれる場合に、撮像手段による撮像を開始する。これにより、災害が発生する直前に、撮像装置１０１に対して所定の制御をすることができるため、災害時の一部始終の映像を確実に記録することが可能になる。また、直接的に地震や津波の警報に基づいて制御を行うことができ、誤った異常検出による不要な制御を軽減できる。【選択図】  図１
2009105476.tif 000002
【特許請求の範囲】
【請求項１】
被写体を撮像し映像データを入力する撮像手段を有する撮像装置であって、
通信局から所定の情報を受信する受信手段と、
前記受信手段が受信した所定の情報から緊急警報信号を検出する警報検出手段と、
前記警報検出手段が緊急警報信号を検出した場合に、前記撮像手段による撮像を開始する制御手段とを有することを特徴とする撮像装置。
【請求項２】
前記所定の情報は、災害警報システムからの情報であることを特徴とする請求項１に記載の撮像装置。
【請求項３】
前記所定の情報は、テレビジョン放送波であることを特徴とする請求項１又は２に記載の撮像装置。
【請求項４】
前記撮像手段が撮像した映像データを記録する記録手段を有することを特徴とする請求項１〜３のいずれか１項に記載の撮像装置。
【請求項５】
前記撮像手段が撮像した映像データを送信する送信手段を有することを特徴とする請求項１〜４のいずれか１項に記載の撮像装置。
【請求項６】
前記制御手段は、所定条件の撮像設定において、前記撮像手段による撮像を開始することを特徴とする請求項１〜５のいずれか１項に記載の撮像装置。
【請求項７】
前記所定条件の撮像設定は、パン制御、チルト制御、ズーム制御、防振制御、映像圧縮制御および撮影期間設定のいずれか又は組み合わせであることを特徴とする請求項６に記載の撮像装置。
【請求項８】
被写体を撮像し映像データを入力する撮像手段を有する撮像装置と、情報処理装置とがネットワークを介して接続するネットワーク撮像システムであって、
通信局から所定の情報を受信する受信手段と、
前記受信手段が受信した所定の情報から緊急警報信号を検出する警報検出手段と、
前記警報検出手段が緊急警報信号を検出した場合に、前記撮像手段による撮像を開始する制御手段とを有することを特徴とするネットワーク撮像システム。
【請求項９】
前記所定の情報は、災害警報システムからの情報であることを特徴とする請求項８に記載のネットワーク撮像システム。
【請求項１０】
前記所定の情報は、テレビジョン放送波であることを特徴とする請求項８又は９に記載のネットワーク撮像システム。
【請求項１１】
前記撮像手段が撮像した映像データを記録する記録手段を有することを特徴とする請求項８〜１０のいずれか１項に記載のネットワーク撮像システム。
【請求項１２】
前記記録手段は、前記情報処理装置が有しており、
前記情報処理装置は、前記撮像手段で撮像した映像データを受信し、前記記録手段により記録することを特徴とする請求項１１に記載のネットワーク撮像システム。
【請求項１３】
前記制御手段は、所定条件の撮像設定において、前記撮像手段による撮像を開始することを特徴とする請求項８〜１２のいずれか１項に記載のネットワーク撮像システム。
【請求項１４】
前記所定条件の撮像設定は、パン制御、チルト制御、ズーム制御、防振制御、映像圧縮制御および撮影期間設定のいずれか又は組み合わせであることを特徴とする請求項１３に記載のネットワーク撮像システム。
【請求項１５】
被写体を撮像し映像データを入力する撮像手段を有する撮像装置の制御方法であって、
通信局から所定の情報を受信する受信ステップと、
前記受信ステップで受信した所定の情報から緊急警報信号を検出する警報検出ステップと、
前記警報検出ステップで緊急警報信号を検出した場合に、前記撮像手段による撮像を開始する制御ステップとを有することを特徴とする撮像装置の制御方法。
【請求項１６】
被写体を撮像し映像データを入力する撮像手段を有する撮像装置の制御をコンピュータに実行させるためのプログラムであって、
通信局から所定の情報を受信する受信ステップと、
前記受信ステップで受信した所定の情報から緊急警報信号を検出する警報検出ステップと、
前記警報検出ステップで緊急警報信号を検出した場合に、前記撮像手段による撮像を開始する制御ステップとをコンピュータに実行させるためのプログラム。
【発明の詳細な説明】
【技術分野】
【０００１】
本発明は撮像装置などに関し、特に放送波などに含まれる緊急警報信号を受信することが可能な撮像装置などに関する。
【背景技術】
【０００２】
現在、大地震や津波などの災害を予知し、警報を発信するシステムが提案されている。例えば日本のデジタル放送に関する標準規格策定を行っている業界団体であるＡＲＩＢ（社団法人電波産業会）がこのようなシステムを提案している。このシステムは、災害発生時に放送波に緊急警報信号（ＥＷＳ：Ｅｍｅｒｇｅｎｃｙ  Ｗａｒｎｉｎｇ  Ｓｉｇｎａｌ）を重畳し、テレビ受信機に災害情報を伝えるしくみであり、地上デジタルテレビジョン放送運用規定に定義されている。
【０００３】
ＥＷＳは、ＭＰＥＧ−ＴＳのＰＭＴ（Ｐｒｏｇｒａｍ  Ｍａｐ  Ｔａｂｌｅ）内の緊急情報記述子および伝送制御データであるＴＭＣＣ信号を用いて伝送される（非特許文献１参照のこと）。また上記のような災害警報システムは、ＡＲＩＢによるものだけでなく、財団法人鉄道総合技術研究所のユレダス（ＵｒＥＤＡＳ）や気象庁の全国瞬時警報システム（Ｊ−Ａｌｅｒｔ）なども提案されている。
【０００４】
一方最近では、揺れなどの異常事態を自己検出し、人間に通知したり撮影画像を送信したりするネットワークカメラが提案されている。例えば、撮像データの信号処理によって異常事態を検出した場合に、撮像データの記録を開始させる監視装置が提案されている（例えば特許文献１参照のこと）。また信号処理のほかにも振動センサによって異常事態を検出するネットワークカメラも提案されている（例えば特許文献２参照のこと）
【０００５】
【非特許文献１】ＡＲＩＢ  ＴＲ−Ｂ１４「地上デジタルテレビジョン放送運用規定」
【特許文献１】特開２０００−１８４３６６号公報
【特許文献２】特開２００３−０４４９６５号公報
【発明の開示】
【発明が解決しようとする課題】
【０００６】
しかしながら、上記従来技術で述べたネットワークカメラにおいては、地震などの異常が発生した瞬間に検出を行うため、検出から特定の制御を開始するまでに遅延が生じ、災害発生時点の映像を記録することが困難であった。また、信号処理や振動センサによる異常検出では、風揺れや歩行者による振動などの通常状態と、地震などの異常状態において同様の変化量を検出することがあり得るため、明確に区別することが技術的に難しいという課題があった。
【０００７】
本発明は係る実情に鑑みて、災害が発生した時点における映像を確実に撮影するとともに、異常状態の誤った検出により撮影をしてしまう事態を軽減することが可能な撮像装置などの提供を目的とする。
【課題を解決するための手段】
【０００８】
本発明の撮像装置は、被写体を撮像し映像データを入力する撮像手段を有する撮像装置であって、通信局から所定の情報を受信する受信手段と、前記受信手段が受信した所定の情報から緊急警報信号を検出する警報検出手段と、前記警報検出手段が緊急警報信号を検出した場合に、前記撮像手段による撮像を開始する制御手段とを有することを特徴とする。
また、本発明のネットワーク撮像システムは、被写体を撮像し映像データを入力する撮像手段を有する撮像装置と、情報処理装置とがネットワークを介して接続するネットワーク撮像システムであって、通信局から所定の情報を受信する受信手段と、前記受信手段が受信した所定の情報から緊急警報信号を検出する警報検出手段と、前記警報検出手段が緊急警報信号を検出した場合に、前記撮像手段による撮像を開始する制御手段とを有することを特徴とする。
また、本発明の撮像装置の制御方法は、被写体を撮像し映像データを入力する撮像手段を有する撮像装置の制御方法であって、通信局から所定の情報を受信する受信ステップと、前記受信ステップで受信した所定の情報から緊急警報信号を検出する警報検出ステップと、前記警報検出ステップで緊急警報信号を検出した場合に、前記撮像手段による撮像を開始する制御ステップとを有することを特徴とする。
また、本発明のプログラムは、被写体を撮像し映像データを入力する撮像手段を有する撮像装置の制御をコンピュータに実行させるためのプログラムであって、通信局から所定の情報を受信する受信ステップと、前記受信ステップで受信した所定の情報から緊急警報信号を検出する警報検出ステップと、前記警報検出ステップで緊急警報信号を検出した場合に、前記撮像手段による撮像を開始する制御ステップとをコンピュータに実行させるためのプログラムである。
【発明の効果】
【０００９】
本発明の撮像装置によれば、災害が発生する直前に、撮像装置に対して所定の制御をすることができるため、災害時の一部始終の映像を確実に記録することが可能になる。また、直接的に例えば地震や津波の警報に基づいて制御を行うため、誤った異常検出による不要な制御を軽減できる。
【発明を実施するための最良の形態】
【００１０】
以下、本発明を実施するための最良の形態について図面を参照して説明する。
（第１の実施の形態）
図１は、本発明の第１の実施の形態に係るネットワークカメラシステム（ネットワーク撮像システム）を示す図である。図１において、１０１は本発明における撮像装置の一例であるネットワークカメラである。１０２は放送局（通信局）からの放送波を送信する電波塔である。１０３は電波塔から送信されたテレビジョン放送波（以下、放送波）である。１０４はサーバー（情報処理装置）であり、ネットワークカメラ１０１の遠隔制御およびネットワークカメラ１０１から送られる映像データの記録を行う。１０５はＩＰ（インターネットプロトコル）ネットワークであり、ネットワークカメラ１０１とサーバー１０４とを接続する。
【００１１】
図１に示すネットワークカメラシステムにおいて、ネットワークカメラ１０１は、サーバー１０４からの指示に従って撮影を開始し、映像データをＩＰネットワーク１０５経由でサーバー１０４に送信する。サーバー１０４は、受信した映像データを表示する。また、サーバー１０４は内部に記録媒体を持ち、送られてきた映像データを記録することが可能である。ネットワークカメラ１０１はまた、電波塔１０２から送られる放送波１０３を受信し、放送波１０３に含まれる緊急警報フラグ（緊急警報信号）を検出することが可能である。
【００１２】
図２は、ネットワークカメラ１０１の内部構成を示す図である。図２において、２０１は被写体の撮影を行う撮像部である。２０２はズーム、フォーカス、パン、チルト等の撮像制御を行う撮像制御部である。２０３はネットワークカメラ１０１のシステム全体を制御するための制御部である。制御部２０３はＣＰＵ（中央制御装置）、プログラムメモリおよびワークメモリなどから構成され、プログラムメモリに記録された制御プログラムをＣＰＵがワークメモリに展開、実行することによりネットワークカメラ１０１のシステム全体を制御する。
【００１３】
２０４は放送波１０３を受信し、デジタル変換したデータを入力するチューナー部である。２０５はチューナー部２０４より入力されたデジタルデータの分析を行い、緊急警報フラグを検出する警報検出部である。２０６はサーバー１０４との通信を行う通信部である。ネットワークカメラ１０１は、通信部２０６を用いてサーバー１０４との間で、制御コマンド、撮像部２０１から入力された映像データおよびチューナー部２０４より入力されたデジタルデータの通信を行う。２０７は撮像部２０１から入力された映像データあるいはチューナー部２０４より入力されたデジタルデータを記録する記録部である。
【００１４】
図３は、サーバー１０４の内部構成を示す図である。図３において、３０１はネットワークカメラ１０１との通信を行う通信部である。３０２はサーバー１０４のシステム全体を制御する制御部である。制御部３０２はＣＰＵ（中央制御装置）、プログラムメモリおよびワークメモリなどから構成され、プログラムメモリに記録された制御プログラムをＣＰＵがワークメモリに展開、実行することによりサーバー１０４のシステム全体を制御する。
【００１５】
３０３はネットワークカメラ１０１より通信部３０１を介して送られる映像データを記録する記録部である。３０４はネットワークカメラ１０１より通信部３０１を介して送られる映像データをディスプレイに表示する表示部である。
【００１６】
続いて、本実施の形態に係るネットワークカメラシステムの基本的な撮影記録開始・終了動作について図を参照しながら説明する。
【００１７】
まず、図４を用いて撮影記録開始動作について説明する。
本実施の形態では、ネットワークカメラ１０１とサーバー１０４との間の制御およびデータ転送において、ＨＴＴＰ（Ｈｙｐｅｒ  Ｔｅｘｔ  Ｔｒａｎｓｆｅｒ  Ｐｒｏｔｏｃｏｌ）プロトコルを用いる。ただし、ＨＴＴＰプロトコルに限られるものではなく、その他の標準プロトコルや、独自プロトコルでもよく、ネットワーク上での制御、データ転送を実現できるプロコトルであれば何を用いても構わない。
【００１８】
ステップＳ４０１において、サーバー１０４における制御部３０２は、撮影記録動作を開始する場合、撮影記録開始を要求するＨＴＴＰコマンドを生成し、通信部３０１を介してネットワークカメラ１０１に送信する。このＨＴＴＰコマンドの一部を図５に示す。
【００１９】
図５に示すＨＴＴＰコマンドは、すべてテキストで表現されるＨＴＴＰのリクエストである。５０１はネットワークカメラ１０１を示すホスト名、５０２は制御コマンドを送信していることを示すオペコード、５０３は撮影記録開始を要求していることを示すオペランドである。この方法によれば、同じオペコード５０２において、異なるオペランド５０３を用いることにより、異なる制御をすることが可能である。図５に示す方法は、一般的なものであり、ＣＧＩ（Ｃｏｍｍｏｎ  Ｇａｔｅｗａｙ  Ｉｎｔｅｒｆａｃｅ）プログラムの制御において広く使用されているものである。
【００２０】
次にステップＳ４０２において、ネットワークカメラ１０１における通信部２０６は、図５に示したようなＨＴＴＰコマンドを受信し、制御部２０３に送り、制御部２０３は撮影記録開始要求であること認識する。
【００２１】
次にステップＳ４０３において、制御部２０３は、撮像制御部２０２に撮影要求を送る。撮像制御部２０２は、撮像部２０１を制御して撮影を開始し、撮像部２０１より送られる映像データを制御部２０３へ入力する。
【００２２】
次にステップＳ４０４において、制御部２０３は、撮像部２０１より入力された映像データを含めたＨＴＴＰパケットを生成し、通信部２０６を介してサーバー１０４へ送信する。図６に、ＨＴＴＰパケットの一部を示す。
【００２３】
次にステップＳ４０５において、サーバー１０４における通信部３０１は、図６に示したようなＨＴＴＰパケットを制御部３０２に入力し、制御部３０２はＨＴＴＰパケットに含まれる映像データを表示部３０４に表示し、かつ記録部３０３において記録を行う。
【００２４】
続いて、図７を用いて撮影記録終了動作について説明する。
ステップＳ７０１において、サーバー１０４における制御部３０２は、撮影記録動作を終了する場合、撮影記録終了を要求するＨＴＴＰコマンドを生成し、通信部３０１を介してネットワークカメラ１０１に送信する。ＨＴＴＰコマンドの一部を図８に示す。
【００２５】
図８に示すＨＴＴＰコマンドは、図５と同じ構成であり、８０１に示したＨＴＴＰコマンドのオペランドのみが、図５におけるオペランド５０３と異なり、撮影記録終了を示す記述に変わったものである。
【００２６】
次にステップＳ７０２において、ネットワークカメラ１０１における通信部２０６は、図８に示したＨＴＴＰコマンドを受信し、制御部２０３に送り、制御部２０３は撮影記録終了要求であること認識する。
【００２７】
次にステップＳ７０３において、制御部２０３は、撮像制御部２０２に撮影終了要求を送る。撮像制御部２０２は、撮像部２０１を制御して撮影を終了する。
【００２８】
次にステップＳ７０４において、制御部２０３は、ＨＴＴＰパケットの生成を止め、通信部２０６は、サーバー１０４における通信部３０１との間でコネクションを切断する。
【００２９】
そしてステップＳ７０５において、サーバー１０４における制御部３０２は、表示部３０４による表示制御、および記録部３０３による記録制御を終了する。
【００３０】
以上、図４、図７を参照して撮影記録動作の説明をしたが、本発明は、この処理に限られるものではない。
例えば撮影記録開始要求を受けたネットワークカメラ１０１は、自身が備える記録部２０７において、撮影した映像データを記録することも可能である。すなわち、ステップＳ４０４において、制御部２０３は、サーバー１０４には映像データを含まない、応答データのみを含むＨＴＴＰパケットを送信し、ネットワークカメラ１０１自身が備える記録部２０７において映像データを記録することも可能である。またこの場合、撮影記録終了動作時のステップＳ７０４においてコネクションを切断する前に、記録部２０７に記録した映像データをまとめてサーバー１０４に送信することも可能である。またステップＳ４０４において、制御部２０３は映像データをサーバー１０４に送信し、かつ記録部２０７にて記録することも同じく可能である。
【００３１】
また、図４、図７では撮影記録動作について説明をしたが、シーケンスを若干変更することにより、記録を行わない撮影動作を実行することも可能である。
すなわち、ステップＳ４０１において、サーバー１０４における制御部３０２は、オペランド５０３を変更することにより撮影開始要求を示すＨＴＴＰコマンドを作成するようにする。そしてステップＳ４０５において、サーバー１０４における制御部３０２は、ＨＴＴＰパケットに含まれる映像データを記録部３０３には記録せず、表示部３０４に表示するようにする。更にステップＳ７０１において、サーバー１０４における制御部３０２は、オペランド５０３を変更することにより、撮影終了要求を示すＨＴＴＰコマンドを作成する。またステップＳ７０５において、サーバー１０４における制御部３０２は、表示制御を終了する。以上により、記録を行わない撮影動作を実行できる。
【００３２】
以上、本実施の形態に係るネットワークカメラシステムにおける、サーバー１０４からの制御による撮影記録動作について説明した。
【００３３】
ここで、本実施の形態に係るネットワークカメラ１０１は、サーバー１０４からの制御以外に、電波塔１０２から送られる放送波１０３に含まれる緊急警報信号の受信を契機に撮影記録動作を開始することが可能である。この動作について、以下、図を参照しながら説明する。
【００３４】
まず、図９を参照し、緊急警報信号を受信して撮影記録動作を開始するシーケンスについて説明する。
ステップＳ９０１において、ネットワークカメラ１０１におけるチューナー部２０４は、放送局から送られる放送波を受信し、デジタルデータに変換して警報検出部２０５に入力する。なお本実施の形態では、放送波をＡＲＩＢ（社団法人電波産業会）によって規定される地上波デジタル放送と仮定して説明する。
【００３５】
ここで、地上波デジタル放送における緊急警報信号（ＥＷＳ：Ｅｍｅｒｇｅｎｃｙ  Ｗａｒｎｉｎｇ  Ｓｉｇｎａｌ）のしくみについて説明する。図１０に、放送波のセグメント・フレーム構成を示す。１００１は、番組データ、電子番組表、文字放送データなどが含まれるＭＰＥＧ−ＴＳで構成されるデータ信号である。１００２は、伝送制御のための信号を含むＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  ａｎｄ  Ｃｏｎｔｒｏｌ）信号である。１００３は、その他の信号を示す。
【００３６】
地上波デジタル放送では、緊急警報信号を、ＭＰＥＧ−ＴＳデータにおけるＰＭＴ（Ｐｒｏｇｒａｍ  Ｍａｐ  Ｔａｂｌｅ）内の緊急情報記述子に、Ｓｔａｒｔ＿ｅｎｄ＿ｆｌａｇ、第１種／第２種種別、および地域符号を記述することで送信する。ここで、第１種は地震警報を示すものであり、第２種は津波警報を示すものである。さらにＴＭＣＣ情報の緊急警報放送用起動フラグを１として設定し、緊急警報放送と認識できるコンテンツとして放送を開始する。また終了時には、ＴＭＣＣ情報の緊急警報放送用起動フラグを０に設定して送出し、ＰＭＴから緊急情報記述子を削除する。放送事業者は、緊急警報放送を行っている間は、固定受信端末向け放送やワンセグ向け放送によらず、常時ＴＭＣＣ情報の緊急警報放送用起動フラグを１とすることになっている。以上が、地上波デジタル放送における緊急警報信号（ＥＷＳ）のしくみである。
【００３７】
動作の説明に戻り、次にステップＳ９０２において、警報検出部２０５は、上述したＴＭＣＣ情報内の緊急警報放送用起動フラグがセットされているかどうかを、セグメント・フレームごとに検査する。緊急警報放送用起動フラグがセットされていることを検出した場合は、ステップＳ９０３において、警報検出部２０５は、制御部２０３に警報検出の通知を行う。
【００３８】
次にステップＳ９０４において、通知を受けた制御部２０３は、撮像制御部２０２に撮影要求を送る。撮像制御部２０２は、撮像部２０１を制御して撮影を開始し、撮像部２０１より送られる映像データを制御部２０３へ入力する。
【００３９】
次にステップＳ９０５において、制御部２０３は、ＨＴＴＰコマンドとともに、撮像部２０１より入力された映像データを、ＨＴＴＰパケットに含め、通信部２０６を介してサーバー１０４へ送信する。ここで、ＨＴＴＰコマンドの一部を図１１に示す。図１１に示すＨＴＴＰコマンドは、図５、図８に示したＨＴＴＰコマンドと同じ構成であり、ホスト名１１０１がサーバー１０４を示し、オペランド１１０２が緊急警報時の撮影記録を示す記述になっている。
【００４０】
次にステップＳ９０６において、サーバー１０４における通信部３０１は、ＨＴＴＰパケットを制御部３０２に入力し、制御部３０２はＨＴＴＰパケットに含まれる映像データを表示部３０４に表示し、かつ記録部３０３において記録を行う。
【００４１】
続いて、図１２を参照し、緊急警報を受信して撮影記録動作を終了するシーケンスについて説明する。
ステップＳ１２０１において、ネットワークカメラ１０１におけるチューナー部２０４は、放送局から送られる放送波を受信し、デジタルデータに変換して警報検出部２０５に入力する。
【００４２】
次にステップＳ１２０２において、警報検出部２０５は、上述したＴＭＣＣ情報内の緊急警報放送用起動フラグがクリアされているかどうかを、セグメント・フレームごとに検査する。
【００４３】
次にステップＳ１２０３において、警報検出部２０５は、緊急警報放送用起動フラグがクリアされていることを検出した場合、制御部２０３に警報クリアの通知を行う。
【００４４】
次にステップＳ１２０４において、通知を受けた制御部２０３は、撮像制御部２０２に撮影終了要求を送る。撮像制御部２０２は、撮像部２０１を制御して撮影を終了する。
【００４５】
次にステップＳ１２０５において、制御部２０３は、ＨＴＴＰパケットの生成を止め、通信部２０６は、サーバー１０４における通信部３０１との間でコネクションを切断する。
【００４６】
次にステップＳ１２０６において、サーバー１０４における制御部３０２は、表示部３０４における表示制御および記録部３０３における記録制御を終了する。
【００４７】
以上、本実施の形態に係るネットワークカメラシステムにおける、緊急警報信号検出時の撮影記録動作について説明したが、本発明は、この処理に限られるものではない。
例えばステップＳ９０２、Ｓ１２０２において、検出対象としてＴＭＣＣ情報としたが、上述したＰＭＴの緊急情報記述子を用いてもよい。すなわち、Ｓｔａｒｔ＿ｅｎｄ＿ｆｌａｇの値に応じて撮影記録を開始、終了してもよい。また、第１種／第２種種別を分析して特定の条件で撮影記録を開始、終了してもよい。また、地域符号を分析して、ネットワークカメラ１０１の設置地域が該当する場合のみ、撮影記録制御を行う等の特定条件下での制御を行ってもよい。
【００４８】
またステップＳ９０４において、ネットワークカメラ１０１における制御部２０３は撮影制御を開始したが、撮影制御を開始しないようにしてもよい。この場合、サーバー１０４に緊急警報信号検出のイベント通知を示すＨＴＴＰパケットを送信し、サーバー１０４から撮影記録開始要求のＨＴＴＰリクエストを送信させるようにする。そしてサーバー１０４から撮影記録開始要求については、図４に示した動作でよい。
【００４９】
またステップＳ９０４において、ネットワークカメラ１０１における制御部２０３は、撮像制御部２０２に対して、所定条件の撮像設定に基づいた撮影要求を送ってもよい。上述の所定条件の撮像設定とは、撮像制御部２０２が備えるパン位置制御（パン制御）、チルト位置制御（チルト制御）、ズーム制御、防振制御、画質（圧縮比）制御（映像圧縮制御）、撮影期間設定などのいずれでもよいし、これらを組み合わせたものでもよい。
【００５０】
またステップＳ９０５において、制御部２０３は、映像データをサーバー１０４へ送信したが、同時にチューナー部２０４より入力した放送データをサーバー１０４に送信するようにしてもよい。この場合、サーバー１０４が映像データとともに、放送データを表示部３０４で表示し、これらを記録部３０３にて記録することができる。
【００５１】
またステップＳ９０５において、緊急警報検出前に記録部２０７にて撮影データを記録していた場合は、記録データをサーバー１０４に送信してもよい。
【００５２】
またステップＳ９０６において、サーバー１０４は、記録部３０３における記録媒体の記録可能な残容量に基き、受信したＨＴＴＰパケットを記録部３０３に記録せず、表示部３０４に表示するだけでもよい。
【００５３】
また、図９、図１２において、ＴＭＣＣ情報内の緊急警報放送用起動フラグがセットしている間のみ撮影データをサーバー１０４にて記録する、としたがこの限りでない。例えば、ＴＭＣＣ情報内の緊急警報放送用起動フラグがクリアされた後、所定の時間撮影記録を継続した後、撮影記録動作を終了するとしてもよい。また、緊急警報放送の中に、緊急事態の発生期間に関する時間情報が記載されている場合は、その情報に基づいて撮影記録動作を実行してもよい。
【００５４】
また、本実施の形態において、放送波としてＡＲＩＢ規定の地上波デジタル放送としたが、この限りではない。他の地上波アナログ放送や、衛星放送、ケーブルテレビ放送、あるいは海外の放送においても、地上波デジタル放送の緊急警報信号（ＥＷＳ）と同様の緊急警報システムが構築されていれば、本発明は適用可能である。この場合、ネットワークカメラ１０１における警報検出部２０５に、上記で挙げた他の放送波に対応する検出機能を持たせることにより、同様の撮影記録動作を実施することが可能である。
また放送以外でも、財団法人鉄道総合技術研究所のユレダス（ＵｒＥＤＡＳ）や気象庁の全国瞬時警報システム（Ｊ−Ａｌｅｒｔ）など、通信局より電波あるいはネットワークによって警報を送る災害警報システムであれば、本発明を適用できる。この場合も、警報検出部２０５に、これらに対応する検出機能を持たせることにより、同様の撮影記録動作を実施することが可能である。もちろんネットワークカメラ１０１を、複数の放送波、ユレダス（ＵｒＥＤＡＳ）や全国瞬時警報システムからの情報を受信可能な構成とし、これら全てから緊急警報信号を検出可能なように構成してもよい。
【００５５】
また、以上の第１の実施の形態では、図１に示すネットワークカメラシステムにおいて、ネットワークカメラ１０１がチューナー部２０４を備え、放送波に含まれる緊急警報信号を検出する場合についての実施の形態について説明した。しかしながら、本発明においては、必ずしもネットワークカメラ１０１がチューナー部２０４を備える必要はなく、外部機器が緊急警報信号してネットワークカメラ１０１に通知することによっても、実施可能である。かかる実施の形態について、以下、第２の実施の形態にて図を参照し説明する。
【００５６】
（第２の実施の形態）
図１３に、第２の実施の形態に係るネットワークカメラシステムを示す。図１３は、第１の実施の形態の図１に示す図と同様であるが、第２の実施の形態に係るネットワークカメラ１３０１は、放送波の受信機能はもたない。一方、第２の実施の形態に係るサーバー１３０２（情報処理装置）は放送波の受信機能をもつ。
【００５７】
図１４は、ネットワークカメラ１３０１の内部構成を示す図である。図１４は、第２の実施の形態の図２に示す図と、チューナー部２０４および警報検出部２０５が存在しないこと以外は同一である。
【００５８】
図１５は、サーバー１３０２の内部構成を示す図である。図１５は、第１の実施の形態の図３に示す図と、チューナー部１５０１および警報検出部１５０２が追加されていること以外は同一である。
【００５９】
本実施の形態に係るネットワークカメラシステムの基本的な撮影記録動作については、第１の実施の形態で図４、図７を参照して説明した内容と同様であるため割愛する。
【００６０】
続いて、電波塔１０２から送られる放送波１０３に含まれる緊急警報の受信を契機にした本実施の形態に係るネットワークカメラシステムの撮影記録動作について、以下、図を参照しながら説明する。
【００６１】
まず図１６を参照し、緊急警報を受信して撮影記録動作を開始するシーケンスについて説明する。
ステップＳ１６０１において、サーバー１３０２におけるチューナー部１５０１は、放送局から送られる放送波を受信し、デジタルデータに変換して警報検出部１５０２に入力する。なお、本実施の形態においても、放送波にはＴＭＣＣ信号が含まれるものとする。
【００６２】
次にステップＳ１６０２において、警報検出部１５０２は、上述したＴＭＣＣ情報内の緊急警報放送用起動フラグがセットされているかどうかを、セグメント・フレームごとに検査する。
【００６３】
次にステップＳ１６０３において、警報検出部１５０２は、緊急警報放送用起動フラグがセットされていることを検出した場合、制御部３０２に、警報検出の通知を行う。
【００６４】
次にステップＳ１６０４において、通知を受けた制御部３０２は、ネットワークカメラ１０１に対して撮影記録開始の制御を行う。以降の動作については、第１の実施の形態で図４を用いて説明した撮影記録開始動作と同様であるため、説明を割愛する。
【００６５】
続いて、図１７を参照し、緊急警報を受信して撮影記録動作を終了するシーケンスについて説明する。
ステップＳ１７０１において、サーバー１３０２におけるチューナー部１５０１は、放送局から送られる放送波を受信し、デジタルデータに変換して警報検出部１５０２に入力する。
【００６６】
次にステップＳ１７０２において、警報検出部１５０２は、上述したＴＭＣＣ情報内の緊急警報放送用起動フラグがクリアされているかどうかを、セグメント・フレームごとに検査する。
【００６７】
次にステップＳ１７０３において、警報検出部１５０２は、緊急警報放送用起動フラグがクリアされていることを検出した場合、制御部３０２に警報クリアの通知を行う。
【００６８】
次にステップＳ１７０４において、通知を受けた制御部３０２は、ネットワークカメラ１０１に対して撮影記録終了の制御を行う。以降の動作については、第１の実施の形態で図７を用いて説明した撮影記録終了動作と同様であるため、説明を割愛する。
【００６９】
以上、図１３から図１７を用いて、ネットワークカメラ１３０１がチューナー部２０４を備えていない場合の構成において、緊急警報の受信を契機に撮影記録動作をさせるための実施の形態について説明した。
【００７０】
なお、第２の実施の形態では、緊急警報を検出した場合にサーバー１３０２がネットワークカメラ１３０１に撮影記録開始要求を送信したが、他の態様であってもよい。例えばネットワークカメラ１３０１が周期的にサーバー１３０２にＨＴＴＰプロトコルを用いて、緊急警報が放送されているかどうかの確認要求を送信するようにする。そして、サーバー１３０２が緊急警報を検出した場合に、ネットワークカメラ１３０１に通知し、ネットワークカメラ１３０１が撮影記録を開始するようにしてもよい。
【００７１】
また第２の実施の形態では、サーバー１３０２がチューナー部１５０１および警報検出部１５０２を備えているが、この限りではない。例えば緊急警報対応のデジタルテレビなど、チューナー部と警報検出部を独立させた機器が、サーバーとは別に存在する構成においても、実施可能である。
【００７２】
以上、第１及び第２の実施の形態で説明した本発明によるネットワークカメラシステムでは、災害が発生する直前に、ネットワークに対して所定の制御をすることができる。これにより、災害時の一部始終の映像を確実に記録することが可能になる。また、直接的に地震や津波の警報に基づいて制御を行うため、誤った異常検出による不要な制御を軽減できる。
【００７３】
なお、本発明を実現するために、上述した実施形態の機能を実現するソフトウェアのプログラムコード（コンピュータプログラム）を記録した記憶媒体を用いても良い。この場合には記憶媒体をシステム或いは装置に供給し、そのシステム或いは装置のコンピュータ（又はＣＰＵやＭＰＵ）が記憶媒体に格納されたプログラムコードを読み出し実行することによって本発明の目的が達成される。
【００７４】
この場合、記憶媒体から読み出されたプログラムコード自体が上述した実施形態の機能を実現することになり、プログラムコード自体及びそのプログラムコードを記憶した記憶媒体は本発明を構成することになる。
【００７５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００７６】
また、そのプログラムコードの指示に基づき、コンピュータ上で稼動しているＯＳ（基本システム或いはオペレーティングシステム）等が実際の処理の一部又は全部を行う場合も含まれることは言うまでもない。
【００７７】
さらに、記憶媒体から読み出されたプログラムコードが、コンピュータに挿入された機能拡張ボードやコンピュータに接続された機能拡張ユニットに備わるメモリに書き込まれてもよい。この場合には、書き込まれたプログラムコードの指示に基づき、その機能拡張ボードや機能拡張ユニットに備わるＣＰＵ等が実際の処理の一部又は全部を行ってもよい。
【図面の簡単な説明】
【００７８】
【図１】本発明の第１の実施の形態に係るネットワークカメラシステムの構成を示す図である。
【図２】本発明の第１の実施の形態に係るネットワークカメラの内部構成を示す図である。
【図３】本発明の第１の実施の形態に係るサーバーの内部構成を示す図である。
【図４】本発明の第１の実施の形態に係るネットワークカメラシステムにおける撮影記録開始動作を説明するフローチャートである。
【図５】本発明の第１の実施の形態に係るネットワークカメラシステムが撮影記録開始時に用いるＨＴＴＰコマンドの一部を示す図である。
【図６】本発明の第１の実施の形態に係るネットワークカメラシステムが撮影記録開始時に用いるＨＴＴＰパケットの一部を示す図である。
【図７】本発明の第１の実施の形態に係るネットワークカメラシステムにおける撮影記録終了動作を説明するフローチャートである。
【図８】本発明の第１の実施の形態に係るネットワークカメラシステムが撮影記録終了時に用いるＨＴＴＰコマンドの一部を示す図である。
【図９】本発明の第１の実施の形態に係るネットワークカメラシステムにおける緊急警報受信時の撮影記録開始動作を説明するフローチャートである。
【図１０】本発明の第１の実施の形態に係るネットワークカメラシステムにおいて受信する放送波のセグメント・フレーム構成を示す図である。
【図１１】本発明の第１の実施の形態に係るネットワークカメラシステムが緊急時撮影記録開始時に用いるＨＴＴＰコマンドの一部を示す図である。
【図１２】本発明の第１の実施の形態に係るネットワークカメラシステムにおける緊急警報受信時の撮影記録終了動作を説明するフローチャートである。
【図１３】本発明の第２の実施の形態に係るネットワークカメラシステムの構成を示す図である。
【図１４】本発明の第２の実施の形態に係るネットワークカメラの内部構成を示す図である。
【図１５】本発明の第２の実施の形態に係るサーバーの内部構成を示す図である。
【図１６】本発明の第２の実施の形態に係るネットワークカメラシステムにおける緊急警報受信時の撮影記録開始動作を説明するフローチャートである。
【図１７】本発明の第２の実施の形態に係るネットワークカメラシステムにおける緊急警報受信時の撮影記録終了動作を説明するフローチャートである。
【符号の説明】
【００７９】
１０１  ネットワークカメラ
１０２  電波塔
１０３  放送波
１０４  サーバー
１０５  ＩＰ（インターネットプロトコル）ネットワーク
２０１  撮像部
２０２  撮像制御部
２０３  制御部
２０４  チューナー部
２０５  警報検出部
２０６  通信部
２０７  記録部
３０１  通信部
３０２  制御部
３０３  記録部
３０４  表示部
１３０１  ネットワークカメラ
１３０２  サーバー
１５０１  チューナー部
１５０２  警報検出部
【図１】
2009105476.tif 000003
【図２】
2009105476.tif 000004
【図３】
2009105476.tif 000005
【図４】
2009105476.tif 000006
【図５】
2009105476.tif 000007
【図６】
2009105476.tif 000008
【図７】
2009105476.tif 000009
【図８】
2009105476.tif 000010
【図９】
2009105476.tif 000011
【図１０】
2009105476.tif 000012
【図１１】
2009105476.tif 000013
【図１２】
2009105476.tif 000014
【図１３】
2009105476.tif 000015
【図１４】
2009105476.tif 000016
【図１５】
2009105476.tif 000017
【図１６】
2009105476.tif 000018
【図１７】
2009105476.tif 000019